(57)【要約】【課題】加熱したときに流動性を有する食品を入れた後、固化したときに食品に食い込みにくい食品包装袋および食品包装体を提供する。【解決手段】食品包装袋２は、所定温度より高い温度で流動性を有し、所定温度以下で固体となる食品を収容するための食品包装袋である。食品包装袋２は、矩形の底面部１０と、底面部１０の第１辺３１で底面部１０と繋がった第１側面部２１と、底面部１０の第１辺３１に対向する第２辺３２で底面部１０と繋がった第２側面部２２と、第１側面部２１と第２側面部２２を繋ぎ、第３辺３３で底面部１０と繋がった第３側面部２３と、第３側面部２３に対向し、第１側面部２１と第２側面部２２を繋ぎ、第４辺３４で底面部１０と繋がった第４側面部２４と、第１側面部２１と底面部１０を第１辺３１に沿って接合している第１接合部４１と、第２側面部２２と底面部１０を第２辺３２に沿って接合している第２接合部４２と、を備える。【選択図】図２
0003205387.tif 000002
【実用新案登録請求の範囲】
【請求項１】
所定温度より高い温度で流動性を有し、前記所定温度以下で固体となる食品を収容するための食品包装袋であって、
矩形の底面部と、
前記底面部の第１辺で前記底面部と繋がった第１側面部と、
前記底面部の前記第１辺に対向する第２辺で前記底面部と繋がった第２側面部と、
前記第１側面部と前記第２側面部を繋ぎ、前記底面部の前記第１辺と前記第２辺を繋ぐ第３辺で前記底面部と繋がった第３側面部と、
前記第３側面部に対向し、前記第１側面部と前記第２側面部を繋ぎ、前記底面部の前記第３辺に対向する第４辺で前記底面部と繋がった第４側面部と、
前記第１側面部と前記底面部を前記第１辺に沿って接合している第１接合部と、
前記第２側面部と前記底面部を前記第２辺に沿って接合している第２接合部と、を備えることを特徴とする食品包装袋。
【請求項２】
前記底面部は、前記第３側面部と連続した一体のフィルムからなる第１底面部と、前記第４側面部と連続した一体のフィルムからなる第２底面部とからなり、
前記第１底面部と前記第２底面部を接合し前記第１接合部から前記第２接合部まで延びる第３接合部を備えることを特徴とする請求項１に記載の食品包装袋。
【請求項３】
前記第１辺および前記第２辺は、前記第３辺および前記第４辺よりも短いことを特徴とする請求項２に記載の食品包装袋。
【請求項４】
前記第３側面部と前記底面部を前記第３辺に沿って接合している第４接合部を備えることを特徴とする請求項１に記載の食品包装袋
【請求項５】
前記第４側面部と前記底面部を前記第４辺に沿って接合している第５接合部とを備えることを特徴とする請求項４に記載の食品包装袋。
【請求項６】
プラスチックフィルムからなることを特徴とする請求項１から請求項５のいずれか１項に記載の食品包装袋。
【請求項７】
前記プラスチックフィルムは、４０〜１２０μｍの厚さであることを特徴とする請求項６に記載の食品包装袋。
【請求項８】
前記プラスチックフィルムは、５５〜１００μｍの厚さであることを特徴とする請求項６に記載の食品包装袋。
【請求項９】
前記各接合部は、溶着または接着により接合されていることを特徴とする請求項１から請求項８のいずれか１項に記載の食品包装体。
【請求項１０】
前記各接合部は、前記食品包装袋の外側に配置されていることを特徴とする請求項１から請求項９のいずれか１項に記載の食品包装袋。
【請求項１１】
前記底面部に対向する開口を有することを特徴とする請求項１から請求項１０のいずれか１項に記載の食品包装袋。
【請求項１２】
前記食品は、チョコレートまたはチョコレート類であることを特徴とする請求項１から請求項１１のいずれか１項に記載の食品包装袋。
【請求項１３】
請求項１から請求項１２のいずれか１項に記載の食品包装袋と、前記底面部に対応した形状の底壁部を有し、前記食品包装袋が内側に入れられる箱と、を備える食品包装体。
【考案の詳細な説明】
【技術分野】
【０００１】
本考案は、所定温度より高い温度で流動性を有し、所定温度以下で固体となる食品を収容するための食品包装袋および食品包装体に関する。
【背景技術】
【０００２】
従来、ガゼット付軟包装袋の中に加熱溶融状態の粘稠物を充填し密封した後、長方体をなすサック式紙箱に挿入し、サック式紙箱を冷却して粘稠物を固化させるホット充填包装方法が知られている（例えば、特許文献１参照）。
【先行技術文献】
【特許文献】
【０００３】
【特許文献１】特開２００９−２３４６２１号公報
【考案の開示】
【考案が解決しようとする課題】
【０００４】
この文献のガゼット付軟包装袋は、対向する一対の側面部の下端が底面を構成するように内側に折り込まれている。しかしながら、食品を収容する工程において、前記一対の側面部を持ち上げた場合、側面部に皺や折り目が発生しやすい。発生した皺や折り目が食品にくい込んだ状態で食品が固化すると、食品を袋から取り出すときに、食品の形が崩れたり、袋が破けて袋の破片が食品に混入してしまうおそれがある。
【０００５】
そこで、本考案は、加熱したときに流動性を有する食品を包装袋に入れた後、固化したときに食品に食い込みにくい食品包装袋および食品包装体を提供することを目的とする。
【課題を解決するための手段】
【０００６】
前記課題を解決するため、本考案の食品包装袋は、所定温度より高い温度で流動性を有し、所定温度以下で固体となる食品を収容するための食品包装袋であって、矩形の底面部と、底面部の第１辺で底面部と繋がった第１側面部と、底面部の第１辺に対向する第２辺で底面部と繋がった第２側面部と、第１側面部と第２側面部を繋ぎ、底面部の第１辺と第２辺を繋ぐ第３辺で底面部と繋がった第３側面部と、第３側面部に対向し、第１側面部と第２側面部を繋ぎ、底面部の第３辺に対向する第４辺で底面部と繋がった第４側面部と、第１側面部と底面部を第１辺に沿って接合している第１接合部と、第２側面部と底面部を第２辺に沿って接合している第２接合部と、を備える。
【０００７】
このように構成された食品包装袋によれば、第１接合部と第２接合部を備えるので、底面部の第１辺と第２辺が補強され、食品を収容した後、第１側面部と第２側面部を持って持ち上げたときに、第１側面部と第２側面部に皺や折り目が出来にくい。
【０００８】
そして、底面部は、第３側面部と連続した一体のフィルムからなる第１底面部と、第４側面部と連続した一体のフィルムからなる第２底面部とからなり、食品包装袋は、第１底面部と第２底面部を接合し第１接合部から第２接合部まで延びる第３接合部を備える構成としてもよい。
【０００９】
このように構成された食品包装袋によれば、第３接合部を備えるので、底面部の第１接合部から第２接合部まで延びる部分が補強され、底面部が変形することを抑制できる。
【００１０】
また、第１辺および第２辺は、第３辺および第４辺よりも短い構成としてもよい。
【００１１】
このように構成された食品包装袋によれば、食品包装袋に流動性のある食品を入れた後、袋を持ち上げるには、作業のし易さから底面部の短辺に対応した側面部を持つ必要があるので、短辺である第１辺および第２辺の部分が第１接合部および第２接合部で補強されることで、食品包装袋に皺や折り目ができにくい。
【００１２】
また、食品包装袋は、第３側面部と底面部を第３辺に沿って接合している第４接合部を備える構成としてもよい。
【００１３】
このように構成された食品包装袋によれば、第４接合部を備えるので、底面部の第３辺が補強され、底面部が変形することを抑制できる。
【００１４】
また、食品包装袋は、第４側面部と底面部を第４辺に沿って接合している第５接合部を備える構成としてもよい。
【００１５】
このように構成された食品包装袋によれば、第５接合部を備えるので、底面部の第４辺が補強され、底面部が変形することを抑制できる。
【００１６】
また、食品包装袋は、プラスチックフィルムからなる構成としてもよい。
【００１７】
このように構成された食品包装袋によれば、安価に食品包装袋を製造することができる。
【００１８】
また、プラスチックフィルムは、４０〜１２０μｍの厚さで構成してもよい。
【００１９】
また、プラスチックフィルムは、５５〜１００μｍの厚さで構成してもよい。
【００２０】
また、各接合部は、溶着または接着により接合している構成としてもよい。
【００２１】
溶着または接着により接合した接合部は、プラスチックフィルムが二重に重なることにより、補強される。
【００２２】
また、各接合部は、食品包装袋の外側に配置されている構成としてもよい。
【００２３】
このように構成された食品包装袋によれば、各接合部が外側に配置されているので、内側に充填された食品の取り出しを邪魔することがない。
【００２４】
また、食品包装袋は、底面部に対向する開口を有する構成としてもよい。
【００２５】
また、食品は、チョコレートまたはチョコレート類である構成としてもよい。
【００２６】
また、食品包装体として、食品包装袋と、底面部に対応した形状の底壁部を有し、食品包装袋が内側に入れられる箱とを備える構成としてもよい。
【００２７】
このように構成された食品包装体によれば、外側の箱の底壁部と内側の食品包装袋の底面部が対応した形状をしているので、食品包装袋の形状が安定する。従って、加熱したときに流動性を有する食品が、箱の形に沿った長方形で固化することができる。また、外側に配置された箱は、食品に直接触れることがないので、繰り返し使用することができる。
【考案の効果】
【００２８】
本考案によれば、加熱したときに流動性を有する食品が包装袋に充填された後、固化したときに包装袋が食品に食い込むことを抑制することができる。
【図面の簡単な説明】
【００２９】
【図１】本考案の実施形態に係る食品包装体を示す斜視図である。
【図２】食品包装袋を示す斜視図である。
【図３】食品包装袋の底面部を示す図（ａ）と、（ａ）のＸ−Ｘ断面図（ｂ）と、（ａ）のＹ−Ｙ断面図（ｃ）と、Ａ部拡大図（ｄ）である。
【図４】食品包装体にチョコレートを入れる工程を示す図（ａ）と、チョコレートを入れた後を示す図（ｂ）と、チョコレートの梱包状態を示す図（ｃ）である。
【図５】食品包装体にチョコレートを入れた後、第１側面部と第２側面部を引っ張り上げた状態を示す図である。
【図６】従来のガゼット袋にチョコレートを入れた後、第１側面部と第２側面部を引っ張り上げた状態を示す図である。
【図７】第１変形例に係る食品包装袋を示す斜視図（ａ）と、接合する前の食品包装袋を示す斜視図（ｂ）である。
【図８】第２変形例に係る食品包装袋を示す斜視図（ａ）と、接合する前の食品包装袋を示す斜視図（ｂ）である。
【考案を実施するための最良の形態】
【００３０】
次に、本考案の実施形態について、適宜図面を参照しながら詳細に説明する。
図１に示すように、本考案に係る食品包装体１は、所定温度より高い温度で流動性を有し、所定温度以下で固体となる食品を包装して出荷するためのものであり、食品包装袋２と、食品包装袋２が内側に入れられる箱の一例としての外箱３とから構成されている。
食品包装袋２に収容される食品としては、チョコレートやチョコレート類、豆腐、チーズ、バター、マーガリン、キャラメル、羊羹、蒟蒻、餅、ゼリーなどがある。なお、本考案におけるチョコレートとは、公正取引規約または法規上規定されているチョコレートを意味し、チョコレート類とは、公正取引規約または法規上規定されているチョコレート以外のチョコレート様の物性を持つ油脂加工品を包含した意味であり、例えば、チョコレートに類似した業務用製菓・製パン材料などを含む。
チョコレートまたはチョコレート類は、例えば、３０〜６０℃で流動性を有し、常温（例えば２０℃）以下で固化する性質を有している。
【００３１】
外箱３は、例えば、段ボールからなる四角い箱である。外箱３は、底壁部３Ａと、底壁部３Ａの各辺に対応した４つの側壁部３Ｂと、各側壁部３Ｂの上端から延出した４つの上蓋部３Ｃとを有している。底壁部３Ａは矩形であり、後述する食品包装袋２の底面部１０に対応した形状をしている。
【００３２】
図２に示すように、食品包装袋２は開口を有する袋であり、底面部１０と、第１側面部２１と、第２側面部２２と、第３側面部２３と、第４側面部２４と、第１接合部４１と、第２接合部４２と、第３接合部４３と、を備えている。
【００３３】
底面部１０は、矩形をなしており、第１辺３１と、第１辺３１に対向して配置される第２辺３２と、第１辺３１と第２辺３２を繋ぐ第３辺３３と、第３辺３３に対向して配置される第４辺３４と、を有している。第１辺３１および第２辺３２は、第３辺３３および第４辺３４よりも短くなっている。
【００３４】
第１側面部２１、第２側面部２２、第３側面部２３および第４側面部２４は、それぞれ、連続した一枚のフィルムからなる。第１側面部２１は、底面部１０の第１辺３１で底面部１０と繋がっている。第２側面部２２は、第２辺３２で底面部１０と繋がっている。第３側面部２３は、第１側面部２１と第２側面部２２を繋ぎ、第３辺３３で底面部１０と繋がっている。第４側面部２４は、第３側面部２３に対向して配置され、第１側面部２１と第２側面部２２を繋ぎ、第４辺３４で底面部１０と繋がっている。
【００３５】
第１接合部４１は、第１側面部２１と底面部１０を第１辺３１に沿って溶着または接着などにより接合している。第２接合部４２は、第２側面部２２と底面部１０を第２辺３２に沿って溶着または接着などにより接合している。
【００３６】
底面部１０は、第３側面部２３と連続した一体のフィルムからなる第１底面部１１と、第４側面部２４と連続した一体のフィルムからなる第２底面部１２とから構成されている。第３接合部４３は、第１接合部４１から第２接合部４２まで延び、第１底面部１１と第２底面部１２を溶着または接着などにより接合している。
【００３７】
前記した各接合部４１，４２，４３は、食品包装袋２の外側に配置されている。
【００３８】
次に、図３を参照して、各接合部４１，４２，４３の詳細を説明する。
図３（ａ），（ｂ）に示すように、底面部１０の第１辺３１には、底面部１０から連続して延びる第１延長部１０Ａが設けられている。底面部１０の第２辺３２には、底面部１０から連続して延びる第２延長部１０Ｂが設けられている。各延長部１０Ａ，１０Ｂは台形状であり、先端が底面部１０に接する辺よりも短い。
【００３９】
また、第１側面部２１の下辺には、第１側面部２１から連続して延びる第３延長部２１Ａが設けられている。第２側面部２２の下辺には、第２側面部２２から連続して延びる第４延長部２２Ａ（図２参照）が設けられている。各延長部２１Ａ，２２Ａは台形状であり、先端の辺が第１辺３１、第２辺３２よりも短い。
【００４０】
第１延長部１０Ａと第３延長部２１Ａは、食品包装袋２の外側に配置され、互いに重ねられて第１辺３１に沿って溶着または接着されることにより第１接合部４１が形成されている。また、第１延長部１０Ａと第３延長部２１Ａの各先端部は、互いに重ねられて端縁に沿って溶着または接着されることにより第１補助接合部４１Ａが形成されている。
【００４１】
第２延長部１０Ｂと第４延長部２２Ａは、食品包装袋２の外側に配置され、互いに重ねられて第２辺３２に沿って溶着または接着されることにより第２接合部４２が形成されている。また、第２延長部１０Ｂと第４延長部２２Ａの各先端部は、互いに重ねられて端縁に沿って溶着または接着されることにより第２補助接合部４２Ａが形成されている。
【００４２】
図３（ａ），（ｃ）に示すように、第１底面部１１の底面部１０の中央側の端部には、第１底面部１１から連続して延びる第５延長部１１Ａが設けられている。第２底面部１２の底面部１０の中央側の端部には、第２底面部１２から連続して延びる第６延長部１２Ａが設けられている。
【００４３】
第５延長部１１Ａと第６延長部１２Ａは、食品包装袋２の外側に配置され、互いに重ねられて第１辺３１の中央と第２辺３２の中央を結ぶ線分に沿って溶着または接着されることにより第３接合部４３が形成されている。
【００４４】
図３（ｄ）に示すように、第１接合部４１と第３接合部４３が重なる部分は、第１延長部１０Ａ、第３延長部２１Ａ、第５延長部１１Ａおよび第６延長部１２Ａの４枚のフィルムが重なった重複部４６（図３（ｄ）の正方形の部分）となっている。なお、第１底面部１１と第２底面部１２を第３接合部４３で接合した後に、底面部１０と第１側面部２１および底面部１０と第２側面部２２を第１接合部４１および第２接合部４２で接合することで、重複部４６内のＵ字形状の重複接合部４６Ａは、４枚のフィルムが互いに接合されて非常に強くなっている。
【００４５】
食品包装袋２は、例えば、プラスチックフィルムからなり、例えば、ポリエチレンテレフタレート（ＰＥＴ）、ポリプロピレン（ＰＰ）、ポリエチレン（ＰＥ）、ポリアミド（ＰＡ）、ポリビニルアルコール（ＰＶＡ）、などの適宜の合成樹脂材料により形成されている。
【００４６】
プラスチックフィルムは、４０〜１２０μｍの厚さであることが望ましく、５５〜１００μｍの厚さであることがより望ましい。
【００４７】
次に、本実施形態に係る食品包装袋２および食品包装体１の使用方法について説明する。ここでは、食品の一例としてチョコレート４を梱包する場合で説明する。
【００４８】
まず、図４（ａ），（ｂ）に示すように、外箱３の上側のみを開放し、上蓋部３Ｃを立てた状態に組み立て、外箱３の底壁部３Ａに食品包装袋２の底面部１０を合わせるようにして外箱３内に食品包装袋２を入れる。そして、食品包装袋２の各側面部２１，２２，２３，２４の上部を、立てた上蓋部３Ｃの外側にめくって被せる。そして、食品包装袋２が敷設された食品包装体１に流動性を有する温度のチョコレート４を所定量（例えば、外箱３の容積にあった量だけ）入れる。
【００４９】
チョコレート４を入れた後、チョコレート４が冷えて固まる前に、図５に示すように、食品包装袋２の第１側面部２１および第２側面部２２の上部中央部分Ｆを手で掴み、持ち上げることにより、食品包装袋２の皺や折り目を伸ばす。この際、食品包装袋２を、持ち上げながら上下に揺らすことで食品包装袋２の形を整える。
【００５０】
そして、図４（ｃ）に示すように、食品包装袋２の開口を折りたたんで閉じる。さらに、外箱３の上蓋部３Ｃを閉じて、ガムテープなどで封をする。
【００５１】
以上によれば、本実施形態において以下のような効果を得ることができる。
本実施形態の食品包装袋２では、第１接合部４１および第２接合部４２が二重に重なって接合されたフィルムで構成されているので、第１辺３１および第２辺３２が補強されている。従って、第１辺３１および第２辺３２に皺や折り目が入りにくくなり、チョコレート４を収容したときに、底面部１０の第１辺３１と第２辺３２が内側に折れ込むことを抑制できる。
【００５２】
また、第３接合部４３が二重に重なって接合されたフィルムで構成されているので、底面部１０の第１接合部４１から第２接合部４２まで延びる部分が補強され、底面部１０が変形しにくくなり、第１辺３１と第２辺３２が内側に折れ込むことを抑制できる。
【００５３】
従って、チョコレート４を食品包装袋２に入れた後、食品包装袋２がチョコレート４に食い込むことを抑制できる。そして、底面部１０全体が補強されていることで、底面部１０が矩形を保ちやすくなり、皺や折り目が発生しにくくなる。皺や折り目が発生しにくくなることで、食品包装袋２がチョコレート４にくい込むことを抑制し、食品包装袋２から取り出すときに、チョコレート４の形が崩れたり、食品包装袋２が破けて袋の破片がチョコレート４に混入してしまうことを抑制できる。さらに、皺や折り目が発生しにくいことで、チョコレート４を入れた後に、食品包装袋２を整えて、梱包する作業時間を短縮することができる。
【００５４】
一方、従来から使用されていたガゼット付軟包装袋の一例としてのガゼット袋５を使用した場合について図６を参照して、以下に説明する。ガゼット袋５は、対向する一対の側面部５１の下に一体に繋がったフィルムが内側に折り込まれて、底面部５０の一部を構成している。そのため、作業者が一対の側面部５１の上側部分Ｆを図の矢印方向に持ち上げた場合、この折り込まれた部分を起点として側面部５１に皺や折り目が発生しやすい。発生した皺や折り目が食品にくい込んだ状態で食品が固化すると、食品を袋から取り出すときに、食品の形が崩れたり、袋が破けて袋の破片が食品に混入してしまうおそれがある。つまり、ガゼット袋５は、側面部５１の下端５２の中央部分５３が特に脆弱なため、ガゼット袋５の底面の矩形を保つことが出来ず、皺や折り目ができて内側に折れ込みやすい構成となっている。
【００５５】
また、本実施形態では、食品包装袋２の各接合部４１，４２が外側に配置されており、食品包装袋２の内側に折込部分や突出した部分が無いので、内側に充填されたチョコレート４の充填や取り出しを邪魔することがない。
【００５６】
また、食品包装袋２は、プラスチックフィルムからなる構成としているので、安価に食品包装袋２を製造することができる。
【００５７】
また、食品包装体１によれば、外箱３の底壁部３Ａと、内側の食品包装袋２の底面部１０とが対応した形状をしているので、食品包装袋２の形状が安定する。従って、食品包装袋２に皺や折り目が入りにくくなり、チョコレート４が、外箱３の形に沿った長方形で固化することができる。さらに、外箱３は、チョコレート４に直接触れることがないので、繰り返し使用することができる。
【００５８】
なお、本考案は前記実施形態に限定されることなく、以下に例示するように様々な形態
で利用できる。
まず、本考案の第１変形例および第２変形例について、適宜図面を参照しながら詳細に説明する。なお、本実施形態は、前記した実施形態に係る食品包装袋２の一部の構造を変更したものであるため、実施形態と同様の構成要素については、同一符号を付し、その説明を省略する。
【００５９】
［第１変形例］
図７（ａ），（ｂ）に示すように、第１変形例の食品包装袋６は、底面部１０に対向する開口を有する袋であり、底面部１０と、第１側面部２１と、第２側面部２２と、第３側面部２３と、第４側面部２４と、第１接合部４１と、第２接合部４２と、第４接合部４４と、を備えている。
【００６０】
第４接合部４４は、食品包装袋６の外側に配置され、第３側面部２３と底面部１０を第３辺３３に沿って接合している。具体的には、第４接合部４４は、第３側面部２３から連続して延びている第７延長部２３Ａと、底面部１０から連続して延びている第８延長部１０Ｃを重ね合わせて、溶着または接着することにより、第３辺３３に沿って接合している部分である。
【００６１】
以上のように構成された食品包装袋６によっても、第１辺３１と第２辺３２に加えて第３辺３３が補強され、底面部１０の変形を抑制できる。従って、底面部１０の第１辺３１と第２辺３２が内側に折れ込みにくくなり、チョコレート４を食品包装袋６に入れた後、食品包装袋６がチョコレート４に食い込むことを抑制できる。
【００６２】
［第２変形例］
図８（ａ），（ｂ）に示すように、第２変形例の食品包装袋７は、底面部１０に対向する開口を有する長方形状の袋であり、底面部１０と、第１側面部２１と、第２側面部２２と、第３側面部２３と、第４側面部２４と、第１接合部４１と、第２接合部４２と、第４接合部４４と、第５接合部４５と、を備えている。
【００６３】
第４接合部４４は、食品包装袋７の外側に配置され、第３側面部２３と底面部１０を第３辺３３に沿って接合している。第５接合部４５は、食品包装袋７の外側に配置され、第４側面部２４と底面部１０を第４辺３４に沿って接合している。
【００６４】
具体的には、第４接合部４４は、第３側面部２３から連続して延びている第７延長部２３Ａと、底面部１０から連続して延びている第８延長部１０Ｃを重ね合わせて、溶着または接着することにより、第３辺３３に沿って接合している部分である。
第５接合部４５は、第４側面部２４から連続して延びている第９延長部２４Ａと、底面部１０から連続して延びている第１０延長部１０Ｄを重ね合わせて、溶着または接着することにより、第４辺３４に沿って接合している部分である。
【００６５】
以上のように構成された食品包装袋７によっても、第１辺３１と第２辺３２に加えて第３辺３３と第４辺３４が補強され、底面部１０の変形を抑制できる。従って、底面部１０の第１辺３１と第２辺３２、さらに、第３辺３３と第４辺３４が内側に折れ込みにくくなり、チョコレート４を食品包装袋７に入れた後、食品包装袋７がチョコレート４に食い込むことを抑制できる。
【００６６】
前記各実施形態では、食品包装袋は、プラスチックフィルムを適用したが、紙からなる袋でもよく、金属からなるフィルムを適用してもよい。
【００６７】
前記各実施形態では、外箱は段ボールで構成されていたが、本考案はこれに限定されず、例えば、段ボール以外の紙、プラスチック、金属からなる箱を適用してもよい。
【符号の説明】
【００６８】
１      食品包装体
２      食品包装袋
３      外箱
４      チョコレート
１０    底面部
２１    第１側面部
２２    第２側面部
２３    第３側面部
２４    第４側面部
３１    第１辺
３２    第２辺
３３    第３辺
３４    第４辺
４１    第１接合部
４２    第２接合部
４３    第３接合部
４４    第４接合部
４５    第５接合部
【図１】
0003205387.tif 000003
【図２】
0003205387.tif 000004
【図３】
0003205387.tif 000005
【図４】
0003205387.tif 000006
【図５】
0003205387.tif 000007
【図６】
0003205387.tif 000008
【図７】
0003205387.tif 000009
【図８】
0003205387.tif 000010